【事件の表示】
　特許第３２８４７８２号「用紙後処理装置およびその制御方式」の請求項１ないし３に係る特許に対する特許異議の申立てについて、次のとおり決定する。
【結　論】
　訂正を認める。
　特許第３２８４７８２号の請求項１ないし３に係る特許を維持する。
【理　由】
１．手続の経緯
　本件特許第３２８４７８２号は、平成６年９月３０日の特許出願に係るものであって、平成１４年３月８日に設定登録され、その後、申立人ミノルタ株式会社より特許異議の申立てがなされ、取消理由が通知され、その指定期間内である平成１５年４月７日に訂正請求がなされたものである。
２．訂正の適否についての判断
　そこで、特許権者が平成１５年４月７日に行った訂正請求について検討する。その訂正の請求の趣旨は、特許明細書を平成１５年４月７日付けの訂正請求書に添付された訂正明細書記載のとおりに訂正するものであり、その内容は次のとおりである。
（１）訂正の内容
　ア．訂正事項ａ
　特許請求の範囲の請求項１の「画像形成部から排出された用紙に綴じ又はパンチング等の後処理を施すための用紙後処理装置において、前記画像形成部から排出された用紙を整合するための用紙寄せパドルおよび用紙整合板を少なくとも有する１個の編集トレイと、前記編集トレイの後端部に設置された用紙後処理機と、前記編集トレイから排出される用紙を積載するための積載トレイと、前記編集トレイで整合（セット）された用紙を前記積載トレイに排出するセット排出ローラとを備え、前記編集トレイ上の用紙の一端が前記積載トレイに接するように構成され、且つ、前記画像形成部から排出される用紙を前記用紙後処理機による後処理の有無にかかわらず前記編集トレイを介して前記積載トレイにセット排出することを特徴とする用紙後処理装置。」
とあるのを、
「画像形成部から排出された用紙に綴じ又はパンチング等の後処理を施すための用紙後処理装置において、前記画像形成部から排出された用紙を整合するための用紙寄せパドルおよび用紙整合板を少なくとも有する１個の編集トレイと、前記編集トレイの後端部に設置された用紙後処理機と、前記編集トレイから排出される用紙を積載するための積載トレイと、前記編集トレイで整合（セット）された用紙を前記積載トレイに排出するセット排出ローラとを備え、前記編集トレイ上の用紙の一端が前記積載トレイに接するように構成され、且つ、前記画像形成部から排出される用紙を前記用紙後処理機による後処理の有無にかかわらず前記編集トレイを介して前記積載トレイにセット排出するものであって、さらに、前記編集トレイで整合（セット）された用紙を押圧する用紙押え装置を備え、前記用紙後処理機による後処理有の場合は、前記編集トレイで整合された用紙を前記用紙押え装置により押圧した状態で前記用紙後処理機により後処理を行い、前記用紙後処理機による後処理無の場合は、前記編集トレイで整合された用紙を前記用紙押え装置により押圧した状態で該用紙を前記積載トレイにセット排出することを特徴とする用紙後処理装置。」と訂正する。
　イ．訂正事項ｂ
　明細書の【０００７】の「【課題を解決するための手段】上記目的を達成するために、請求項１に記載の第１の発明は、画像形成部から排出された用紙に綴じ又はパンチング等の後処理を施すための用紙後処理装置において、前記画像形成部から排出された用紙を整合するための用紙寄せパドルおよび用紙整合板を少なくとも有する１個の編集トレイと、前記編集トレイの後端部に設置された用紙後処理機と、前記編集トレイから排出される用紙を積載するための積載トレイと、前記編集トレイで整合（セット）された用紙を前記積載トレイに排出するセット排出ローラとを備え、前記編集トレイ上の用紙の一端が前記積載トレイに接するように構成され、前記画像形成部から排出される用紙を前記用紙後処理機による後処理の有無にかかわらずに前記編集トレイを介して前記積載トレイにセット排出することを特徴とする。また、前記第１発明において、前記編集トレイから離れた常時の位置と前記編集トレイに接近して前記セット排出ローラと対向する位置との間を移動可能に構成され、且つ、前記セット排出ローラと対向する位置において前記排出ローラと共に前記編集トレイで整合（セット）された用紙を押圧しながら前記積載トレイに排出するように構成された用紙押え装置（３０）を設けることが可能である。」
とあるのを、
「【課題を解決するための手段】上記目的を達成するために、請求項１に記載の第１の発明は、画像形成部から排出された用紙に綴じ又はパンチング等の後処理を施すための用紙後処理装置において、前記画像形成部から排出された用紙を整合するための用紙寄せパドルおよび用紙整合板を少なくとも有する１個の編集トレイと、前記編集トレイの後端部に設置された用紙後処理機と、前記編集トレイから排出される用紙を積載するための積載トレイと、前記編集トレイで整合（セット）された用紙を前記積載トレイに排出するセット排出ローラとを備え、前記編集トレイ上の用紙の一端が前記積載トレイに接するように構成され、且つ、前記画像形成部から排出される用紙を前記用紙後処理機による後処理の有無にかかわらず前記編集トレイを介して前記積載トレイにセット排出するものであって、さらに、前記編集トレイで整合（セット）された用紙を押圧する用紙押え装置を備え、前記用紙後処理機による後処理有の場合は、前記編集トレイで整合された用紙を前記用紙押え装置により押圧した状態で前記用紙後処理機により後処理を行い、前記用紙後処理機による後処理無の場合は、前記編集トレイで整合された用紙を前記用紙押え装置により押圧した状態で該用紙を前記積載トレイにセット排出することを特徴とする。」
と訂正する。
（２）訂正の目的の適否、新規事項の有無及び拡張・変更の存否
ア．訂正事項ａについて
　訂正事項ａは、「用紙押え装置」を付加し、この「用紙押え装置」と「用紙後処理機」との関係を規定したものである。また、「用紙押え装置」については、願書の最初に添付した明細書の【００１６】、【００１８】、【００１９】に記載され、「用紙押え装置」の構成要素である「ピンチローラ」と「用紙後処理機」である「綴じ機」との関係については、同明細書の【００３０】〜【００３３】に記載されており、当該記載より「用紙押え装置」と「用紙後処理機」との関係において、「用紙後処理機による後処理有の場合は、前記編集トレイで整合された用紙を前記用紙押え装置により押圧した状態で前記用紙後処理機により後処理を行い、前記用紙後処理機による後処理無の場合は、前記編集トレイで整合された用紙を前記用紙押え装置により押圧した状態で該用紙を前記積載トレイにセット排出する」ことが記載されていると認められる。　
　また、上記訂正事項ａは、願書に添付した明細書又は図面に記載した事項の範囲内の訂正であり、実質的上特許請求の範囲を拡張し又は変更するものでもない。
　したがって、訂正事項ａは、特許請求の範囲の減縮を目的とするものであり、願書に最初に添付した明細書または図面に記載した事項の範囲内においてなされたものであり、実質上特許請求の範囲を拡張又は変更するものでもない。
イ．訂正事項ｂについて
　訂正事項ｂは、特許請求の範囲の訂正に伴い、明細書の詳細な説明の記載を訂正するものであり、明りょうでない記載の釈明を目的とするものであり、願書に最初に添付した明細書または図面に記載した事項の範囲内においてなされたものであり、実質上特許請求の範囲を拡張し、又は変更するものではない。
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
３．特許異議申立についての判断
（１）異議申立ての概要
　特許異議申立人ミノルタ株式会社は、特許第３２８４７８２号の請求項１に係る発明は、甲第１号証乃至甲第３号証刊行物に記載された発明に基づいて当業者が容易に発明できたものであり、また、請求項２乃至３に係る発明は甲第１号証乃至甲第４号証刊行物に記載された発明に基づいて当業者が容易に発明できたものであり、特許法第２９条第２項の規定により特許を受けることができない発明であり、したがって請求項１乃至３に係る発明は、特許法第１１３条第１項第２号の規定により取り消されるべきものである旨主張している。
（２）本件発明
　上記２．で示したように上記訂正は認められるから本件の請求項１〜３に係る発明（以下、「本件発明１〜３」という。）は、上記訂正に係る訂正明細書の特許請求の範囲の請求項１〜３に記載された事項により特定される次のとおりである。
「【請求項１】画像形成部から排出された用紙に綴じ又はパンチング等の後処理を施すための用紙後処理装置において、前記画像形成部から排出された用紙を整合するための用紙寄せパドルおよび用紙整合板を少なくとも有する１個の編集トレイと、前記編集トレイの後端部に設置された用紙後処理機と、前記編集トレイから排出される用紙を積載するための積載トレイと、前記編集トレイで整合（セット）された用紙を前記積載トレイに排出するセット排出ローラとを備え、前記編集トレイ上の用紙の一端が前記積載トレイに接するように構成され、且つ、前記画像形成部から排出される用紙を前記用紙後処理機による後処理の有無にかかわらず前記編集トレイを介して前記積載トレイにセット排出するものであって、
さらに、前記編集トレイで整合（セット）された用紙を押圧する用紙押え装置を備え、前記用紙後処理機による後処理有の場合は、前記編集トレイで整合された用紙を前記用紙押え装置により押圧した状態で前記用紙後処理機により後処理を行い、前記用紙後処理機による後処理無の場合は、前記編集トレイで整合された用紙を前記用紙押え装置により押圧した状態で該用紙を前記積載トレイにセット排出することを特徴とする用紙後処理装置。
【請求項２】請求項１記載の用紙後処理装置において、設定された画像形成パラメータに基づいて画像形成部を制御する第１コントローラと、前記第１コントローラに設定されたパラメータに応じて前記用紙後処理装置を制御する第２コントローラと、前記後処理機の動作を制御する後処理制御手段と、前記用紙寄せパドルの動作を制御するパドル制御手段と、前記用紙整合板の動作を制御する整合板制御手段と、前記排出ローラの動作を制御するセット排出制御手段とを備え、
後処理の有無に関わらず前記パドル制御手段および前記整合板制御手段により前記編集トレイ上の用紙を整合させた後、前記セット排出制御手段により前記編集トレイ上の用紙を排出させることを特徴とする用紙後処理装置。
【請求項３】請求項２記載の用紙後処理装置において、前記排出ローラの排出速度を変更するセット排出速度変更手段を備え、前記排出ローラの排出速度を用紙排出中に複数値に変更することを特徴とする用紙後処理装置。」
（３）引用刊行物
刊行物１：特開平４−３１６８９４号公報（異議申立人提出の甲第１号証）
刊行物２：特開平５−２３８６２２号公報（　　　　同　　　甲第２号証）
刊行物３：特開平２−２３３４５７号公報（　　　　同　　　甲第３号証）
刊行物４：特開平６−６４８１５号公報　（　　　　同　　　甲第４号証）（４）引用刊行物に記載された発明
　当審で通知した取消しの理由で引用した刊行物１（特開平４−３１６８９４号公報。以下、「引用刊行物１」という。）には、以下のような事項が記載されている。
記載ア．「【請求項１】　次のものを有する、丁合したコピー用紙セットを受け取って綴じ付ける仕上装置：綴じ付けられたコピー用紙の少なくとも１つのセットを積み重ねるスタッキング手段；　一部分が選択的に前記スタッキング手段の上方に配置される可動コンパイリング部材；コピー用紙を前記スタッキング手段及び前記可動コンパイリング部材の両方へ搬送して、コピー用紙をセットとして積み重ねることによって、コピー用紙セットの一部分が前記スタッキング手段内に位置し、コピー用紙セットの残りの部分が前記可動コンパイリング部材内に位置できるようにして、各コピー用紙がセットとして積み重ねられたとき、各コピー用紙が同時に前記コンパイリング部材の前記部分及び前記スタッキング手段の両方で支持されるようにする手段と；前記可動コンパイリング部材に隣接して配置された、コピー用紙セットを互いに綴じ付ける手段；およびコピー用紙セットのコピー用紙が互いに綴じ付けられた後、綴じ付けられたコピー用紙セット全体がスタッキング手段で支持されるように、前記可動コンパイリング部材のコピー用紙支持部分をコピー用紙及び前記スタッキング手段の両方から後退させる手段。」（特許請求の範囲請求項１）
記載イ．「本発明は、印刷装置用の仕上装置、特にスタッキングトレイ及び後退式コンパイリング棚の構造的及び機能的特徴を部分的に統合させて小型仕上装置を提供するための構造に関するものである。」（第０００１段落）
記載ウ．「・・・・・書類セットを丁合順序でコピー機の結像部を通るように所望回数だけ循環させて、それが結像部を通過する毎に各書類頁（通常は一度だけ）を複写することによって、所望数の丁合コピーセットまたは本を作製することができる。・・・・・」（第０００２段落）
記載エ．「コンパイリング棚６０は、コンパイリング棚６０の後縁部と一体に形成された１つまたは複数の当接タブまたはプレート６６と側部プレート６８とを含む位置合わせ構造部（図１及び３）を形成しているか、それと作動連結しており、側部プレート６８はコンパイリング棚６０の側縁部に隣接している。図１の実施例では、側部プレート６８はコンパイリング棚６０に連結されているが、別の実施例では側部プレート６８をハウジング１５の壁と一体化することもできる。当接タブ６６の１つと側部プレート６８とによって位置合わせコーナーが形成されており・・・・・」（第００２２段落）
記載オ．「位置合わせ構造部にはスカッフィングアセンブリ７０も設けられている。スカッフィングアセンブリ７０には、軸７３に連結されたパドルまたは発泡ホィール７２が設けられている。・・・・・」（第００２３段落）
記載カ．「・・・・・用紙を綴じ付ける機構、すなわち一般的なステープラが９６で示されている。図示の実施例のステープラは、コピー用紙のコーナー部分を綴じる位置に配置されている。好適な実施例ではコピー用紙を綴じ付けるためにステープラ９６が用いられているが、他の適当な用紙固定機構、例えば糊付け機やバインダを用いてコピー用紙を綴じることもできる。また、必要に応じて複数のステープラ９６をコンパイリング棚６０に近接して配置することによって、位置合わせしたコピー用紙を多位置で綴じることもできる。・・・・・」（第００２６段落）
記載キ．「・・・・・ステープラ９６をコンパイリング棚６０の後部分に取り付けて作動させるようになっている。・・・・・」（第００２７段落）
記載ク．「ステープル綴じコピー用紙セットは、セット押し出しアセンブリ９８を用いてコンパイリング棚６０から押し出すことができる。・・・・・」（第００２８段落）
記載ケ．「【００３０】４〜８を参照しながら、仕上装置１２の作用についてさらに詳細に説明する。最も簡単な場合（図４〜７）、下側スタッキングトレイ３４にはステープル綴じコピー用紙セットが入っておらず、第１コピー用紙が下側用紙経路２１の出口端部から排出されると、それは下側スタッキングトレイ３４及びコンパイリング棚６０の両方に載る。すなわち、コピー用紙の第１部分は下側スタッキングトレイ３４の上に載り、コピー用紙の第２部分はコンパイリング棚６０の第１部分の上に載る。
【００３１】重力の作用で、コピー用紙の第２部分はコンパイリング棚６０の後方すなわち第２部分の方へ滑り落ちて、当接タブ６６の１つによって用紙搬送方向に位置合わせされる。その間、コントローラ５８からの信号によってモータ７４が励起されるのに伴って、スカッフィングホィール７２が回転する。ホィール７２のスカッフィング作用によって、入ってくるコピー用紙のコーナーが当接タブ６６の１つと側部プレート６８とによって定められたコーナーへ押し進められる。従って、コピー用紙の縁部が用紙搬送方向及び搬送方向に直交する方向に整合するため、コピー用紙が位置合わせされる。」（第００３０、００３１段落）
記載コ．「【００３３】図７では、コントローラ５８を介してモータ９４を励起させることによって、駆動機構１０６の作動でフィンガ１００がチャネル６９を通って前進し、またコンパイリング棚６０が駆動機構８０の作動で後退することによって、ステープル綴じセットが排出されている。フィンガ１００が前進すると、隆起前縁部１０４がステープル綴じセットの第２部分に接触して、それを下側スタッキングトレイ３４の方へ押し始める一方、コンパイリング棚６０の第１部分はコピー用紙の第２部分の下側から引き離されていく。また、感知機構７６がコンパイリング棚６０と一緒に後退することに注意されたい。従って、感知アーム７７が第２位置から第１位置へ回動するため、スイッチ７８は開放位置になる。ステープル綴じコピー用紙セットの後縁部がハウジング１５の前縁部に達した時、そのセットは下側スタッキングトレイへ落下する。」（第００３３段落）
記載サ．「さらに図７を参照しながら説明すると、仕上装置１２は大容量スタッカとして使用することができ、特に未丁合の綴じていないコピー用紙セットを積み重ねるのに役立つことを理解されたい。仕上装置１２を大容量スタッカとして使用する場合、上側スタッキングトレイ３２へ送るはずのコピー用紙が、ディフレクタ２４によって下側スタッキングトレイ３４及びコンパイリング棚６０へ送られる。編集後、位置合わせされた未丁合コピー用紙セットは比較的短い排出距離で送られる。従って、座屈が発生し難い束を形成することができる。用紙束の上表面を比較的平坦に保持することができるので、できあがった束をさらに正確に感知することができる。また、スタッキング中は感知機構がコンパイリング棚６０と一緒に後退しているので、感知アーム７７がスタッキング作業に干渉することはない。」（第００３７段落）
　したがって、上記記載ア〜サの事項によれば、引用刊行物１には、「綴じ付けられたコピー用紙の少なくとも１つのセットを積み重ねるスタッキング手段と、一部分が選択的に前記スタッキング手段の上方に配置される可動コンパイリング部材と、前記可動コンパイル部材のコンパイリング棚に設けられたコンパイリング棚の後縁部と一体に形成された１つまたは複数の当接タブまたはプレートと側部プレートとを含む位置合わせ構造部と、前記位置合わせ構造部にはスカッフィング作用によって、結像部を通過した後入ってくるコピー用紙のコーナーを当接タブの１つと側部プレートとによって定められたコーナーへ押し進めるスカッフィングアセンブリの軸に連結されたパドルと、前記可動コンパイリング部材をコンパイリング棚の後部分に取り付けて作動させるコピー用紙セットを互いに綴じ付けるステープラと、およびコピー用紙セットのコピー用紙が互いに綴じ付けられた後、綴じ付けられたコピー用紙セット全体がスタッキング手段で支持されるように、前記可動コンパイリング部材のコピー用紙支持部分をコピー用紙及び前記スタッキング手段の両方から後退させる手段と、チャネルを通って前進するフィンガとを有し、コピー用紙を前記スタッキング手段及び前記可動コンパイリング部材の両方へ搬送して、コピー用紙をセットとして積み重ねることによって、コピー用紙セットの一部分が前記スタッキング手段内に位置し、コピー用紙セットの残りの部分が前記可動コンパイリング部材内に位置できるようにして、各コピー用紙がセットとして積み重ねられたとき、各コピー用紙が同時に前記コンパイリング部材の前記部分及び前記スタッキング手段の両方で支持されるようにした、丁合したコピー用紙セットを受け取って綴じ付ける仕上装置。」の発明（以下、「引用刊行物１記載の発明」。）が記載されている。
　当審で通知した取消しの理由で引用した刊行物２（特開平５−２３８６２２号公報。以下、「引用刊行物２」という。）には、以下のような事項が記載されている。
記載シ．「【００１７】ステープル用プレート４３は、後処理搬送路４２を通過したシートＳのうち、製本（ステープル）されるシートＳを積載するものである。ステープル用プレート４３は、シートＳの搬送方向を前側とした場合の前端部が後端部に対して上方位置となるように傾斜して配され、上記の前端部はシートＳの排出口１１４付近に達している。ステープル用プレート４３の上には、羽根部の下端部をステープル用プレート４３の上面と当接させながらＣ方向に回転されるパドラ４８が設けられている。このパドラ４８は、上記のように回転してその羽根部にてシートＳをその後端部がストッパ４９と当接する位置まで後退させ、シートＳを搬送方向に整合するようになっている。
【００１８】ステープル用プレート４３の幅方向の両側部には、シートＳを幅方向の基準位置に整合する幅寄せ装置５０が設けられている。この幅寄せ装置５０は、ステープル用プレート４３における幅方向の一方側に固定状態に立設された位置決め板５１と、ステープル用プレート４３の幅方向に駆動される幅寄せ板５２とを備えている。」（第００１７、００１８段落）
記載ス．「【００２１】 ステープル用プレート４３の前端部には、ステープル用プレート４３の幅方向に延びる回転軸７４が設けられ、この回転軸７４には複数の排出ローラ７５・・・が設けられている。回転軸７４は図示しない排出ローラ駆動モータと連結され、この排出ローラ駆動モータに駆動されて回転軸７４、即ち排出ローラ７５・・・が図１に示すＧ1−Ｇ2 方向に回転するようになっている。即ち、排出ローラ７５は、Ｇ2 方向へ回転することにより、ステープル用プレート４３上のシートＳをストッパ４９方向へ移動させて搬送方向への整合を補助する一方、Ｇ1 方向へ回転することにより、製本されたシートＳを排出トレイ４４上に排出するようになっている。
【００２２】上記の排出ローラ７５の上方には従動ローラ７８が設けられている。この従動ローラ７８は、オフセットガイド装置８０のオフセットガイド７７の一端部に回転自在に支持されている。オフセットガイド装置８０は、他端部が支軸７９によって回動自在に支持され、オフセットモード時においてメインパス４２ｂから搬出されたシートＳの上面側をガイドし、排出トレイ４４方向へ導く上記のオフセットガイド７７と、図示しないオフセットガイド駆動装置とからなる。」（第００２１、００２２段落）
記載セ．「【００３２】また、本シート後処理装置４１は、シート検出スイッチＳＷ1 ・ＳＷ2 ・ＳＷ3 、押出し検出スイッチＳＷ4 および複写機本体１側の図示しない制御装置からの入力等に基づいて、上述のメインパス搬送ローラ４５・４５、バイパス搬送ローラ４６・４６およびデフレクタ４７を始めとする各手段の動作を制御する図示しない制御装置を備えている。この制御装置は、記憶装置、カウンタおよびタイマ等を備えたマイクロコンピュータによって構成され、複写機本体１において設定されるオフセットモード、ステープルシングルモード、ステープルマルチモードに応じて、後述のように上記の各手段を制御するようになっている。」（第００３２段落）
　当審で通知した取消しの理由で引用した刊行物３（特開平２−２３３４５７号公報。以下、「引用刊行物３」という。）には、以下のような事項が記載されている。
記載ソ．「スティプルモードが選択されコピースタートの信号が発せられると、ピン９５が回転しガイドレバー９０を押しあげるのに伴い揺動ガイド８８は上昇して、第４図（ａ）の状態で待機する。搬送されるシートＳは、搬入口７１から第１搬送路７３を通って排紙ローラ対７６により処理トレイ７７とスタックトレイ１０３（又はその上にあるシートＳ）上にまたがって排出される（第４図（ｂ））。
　所定枚数のシートＳが排出されると、揺動ガイド８８はピン９５の回転によって再び下降し（第４図（Ｃ））、スティプル処理終了後に排紙ローラ８６と揺動ローラ８９によりスタックトレイ１０３上に排出される。」（第４頁右上欄第２０行〜左下欄第１３行）
　さらに、当審で通知した取消しの理由で引用した刊行物４（特開平６−６４８１５号公報。以下、「引用刊行物４」という。）には、以下のような事項が記載されている。　             
記載タ．「【請求項２】　シート受け台上でシートに後処理を施す後処理部と、後処理後のシートを排出トレイに排出する排出部とを備えたシート後処理装置において、シートのサイズに応じて前記排出部の駆動を制御する制御部が設けられ、該制御部に、シートがＡ３，Ｂ４等の大きいサイズのとき排出部によるシートの排出速度を速くする大型シート排出手段と、シートがＡ４，Ｂ５等の小さいサイズのとき排出部によるシートの排出速度を排出中に速い速度から遅い速度に切換える排出速度変更手段とを備えたことを特徴とするシート後処理装置。」（特許請求の範囲請求項２）
記載チ．「　【００３６】また、後処理装置４０の制御を行うマイクロコンピュータからなる制御部５９が設けられ、制御部５９には、複写機本体１から搬送されてくるシートＳに後処理を施すことなく、順次１枚ずつ排出トレイ５６に排出するオフセットモードと、複写機本体１から搬送されてくるシートＳに製本の後処理を施した後、１部のみ製本されたシートＳを排出トレイ５６に排出するステープル（シングル）モードと、複写機本体１から搬送されてくるシートＳに製本の後処理を施した後、複数部の製本シートＳを順次排出トレイ５６に排出するステープル（マルチ）モードとを実行するプログラムが記憶されている。
　【００３７】そして、制御部５９が、前記シート検知スイッチＳＷ1，ＳＷ2，ＳＷ3およびシート受け台４６に設けられた図示しないシート検知スイッチからの各シートＳの検知信号により、各モードを実行する。なお、制御部５９は、複写機本体も制御するもので、前記搬送ローラ４３の回転動作については、図示しないタイマーにより時間的にも制御が行われるものである。」（第００３６、００３７段落）
記載ツ．「　【００７１】第二実施例のシート後処理装置の制御部７０は、シート検知スイッチＳＷ1がオンしている時間あるいはシート検知スイッチＳＷ2がオンしている時間によりシートＳのサイズを検知する機能と、この検知したシートＳのサイズに応じて押出手段５２のパルスモータ５２ｄの駆動を制御する機能を有している。
【００７２】すなわち、前記制御部７０に、大型シート排出手段と、シートＳがＡ４，Ｂ５等の小さいサイズのとき、図１４の如く、パルスモータ５２ｄヘの出力パルス数を切換えて押出片５２ａによるシート排出速度を速い速度から遅い速度に切換えて排出する排出速度変更手段とを備えている。」（第００７１、００７２段落）
（４）対比・判断
（４）−１．本件発明１について
　本件発明１と引用刊行物１記載の発明を対比すると、引用刊行物１記載の発明における「結像部」、「仕上げ装置」、「パドル」、「位置合わせ構造部」、「コンパイリング棚」、「コンパイリング棚の後部分」、「ステープラ」、「スタッキング手段」は、それぞれ本件発明１における「画像形成部」、「用紙後処理装置」、「用紙寄せパドル」、「用紙整合板」、「編集トレイ」、「編集トレイの後端部」、「用紙後処理機」、「積載トレイ」に相当する。
　また、引用刊行物１記載の発明においても、上記記載サの事項によれば、印刷されたコピー用紙を綴じない場合でもコンパイリング棚とスタッキング手段の両方に支持させることが記載されている。　
　それ故に、本件発明１と引用刊行物１記載の発明は「画像形成部から排出された用紙に綴じの後処理を施すための用紙後処理装置において、前記画像形成部から排出された用紙を整合するための用紙寄せパドルおよび用紙整合板を少なくとも有する１個の編集トレイと、前記編集トレイの後端部に設置された用紙後処理機と、前記編集トレイから排出される用紙を積載するための積載トレイと、前記編集トレイ上の用紙の一端が前記積載トレイに接するように構成され、且つ、前記画像形成部から排出される用紙を前記編集トレイを介して前記積載トレイにセット排出するものであって、前記用紙後処理機による後処理有の場合は、前記編集トレイで整合された用紙を後処理を行い、前記用紙後処理機による後処理無の場合は、前記編集トレイで整合された用紙を前記積載トレイにセット排出する用紙後処理装置。」である点において一致し、次の点において相違するものと認められる。
（相違点１）
　本件発明１では、整合（セット）された用紙を積載トレイに排出する場合にセット排出ローラにより行っているのに対して、引用刊行物１記載の発明では、整合された用紙を排出するために可動コンパイリング部材のコピー用紙支持部分をコピー用紙及びスタッキング手段の両方から後退させる手段と、チャネルを通って前進するフィンガにより行っている点。
（相違点２）
　本件発明１では、用紙後処理機による後処理の有無にかかわらず編集トレイを介して積載トレイにセット排出するのに対し、引用刊行物１記載の発明は、その点について言及されていない点。
（相違点３）
　本件発明１は、用紙後処理機による後処理の有無にかかわらず編集トレイで整合（セット）された用紙を押圧する用紙押え装置を備えているのに対し、引用刊行物１記載の発明では、そのような用紙押さえ装置を有していない点。
（相違点４）
　本件発明１は、用紙後処理機による後処理有の場合は、編集トレイで整合された用紙を用紙押え装置により押圧した状態で用紙後処理機により後処理を行い、用紙後処理機による後処理無の場合は、編集トレイで整合された用紙を用紙押え装置により押圧した状態で該用紙を積載トレイにセット排出するようにするのに対し、引用刊行物１記載の発明では、相違点３において示したように、用紙押え装置を有しておらず、後処理の有無と用紙押え装置との動作の関係について言及されていない点。
　次に、上記相違点について検討する。
・相違点１について
　用紙を積載トレイに排出する場合に排出ローラにより行うことは、引用刊行物２及び３に記載されており（上記記載ス、ソの事項参照。）、用紙を排出する手段として、引用刊行物１記載の発明において、相違点１に係る本件発明１のようにすることは、当業者が容易になし得たことである。
・相違点２について
　上記記載サの事項から、引用刊行物１には、コンパイリング棚を、コピー用紙を綴じない場合にも使用して、コピー用紙の整理をなして、排出することが記載されている。また、一般にコピー用紙を常に整理された状態で排出し、コピー済みの用紙を整理された状態で取得したいことは、当業者において普通に考慮される事項でもある。
　したがって、引用刊行物１記載の発明において、相違点２に係る本件発明１のようにすることは、当業者が容易になし得たことである。
　しかしながら、上記相違点３及び４に関して検討するに、用紙後処理装置において、用紙後処理機による後処理の有無にかかわらず編集トレイで整合（セット）された用紙を押圧する用紙押え装置については、引用刊行物２〜４に記載されておらず、また、後処理無の場合も、編集トレイで整合された用紙を用紙押え装置により押圧した状態で該用紙を積載トレイにセット排出することも記載されていない。
　そして、本件発明１は上記相違点３および４記載の事項を有することにより、明細書記載の「後処理を施さないモードを選択した場合も複数用紙を整合した状態、すなわち紙揃えを行った状態で積載トレイに排出できると共に、１枚のみの複写であっても用紙の姿勢を整合して排出しできる高速かつコンパクトな用紙後処理装置を提供することができる。」といった顕著な作用効果を奏するものと認められる。
　してみると、本件発明１は、引用刊行物１〜３に記載された発明に基づいて当業者が容易に発明できたものではない。
（４）−２．本件発明２及び３について
　また、本件発明２および３は、本件発明１を引用するものであるから、（４）−１に記載した同様の理由により、引用刊行物１〜４に記載された発明に基づいて当業者が容易に発明できたものではない。
（５）むすび
　以上のとおりであるから、特許異議申立ての理由及び証拠によっては、本件請求項１〜３に係る発明の特許を取り消すことはできない。
　また、他に本件請求項１〜３に係る発明の特許を取り消すべき理由を発見しない。
　よって、結論のとおり決定する。
【異議決定日】
平成１５年４月２４日（２００３．４．２４）
【訂正の要旨】
　ａ．特許請求の範囲の請求項１
「画像形成部から排出された用紙に綴じ又はパンチング等の後処理を施すための用紙後処理装置において、
前記画像形成部から排出された用紙を整合するための用紙寄せパドルおよび用紙整合板を少なくとも有する１個の編集トレイと、前記編集トレイの後端部に設置された用紙後処理機と、前記編集トレイから排出される用紙を積載するための積載トレイと、前記編集トレイで整合（セット）された用紙を前記積載トレイに排出するセット排出ローラとを備え、
前記編集トレイ上の用紙の一端が前記積載トレイに接するように構成され、且つ、前記画像形成部から排出される用紙を前記用紙後処理機による後処理の有無にかかわらず前記編集トレイを介して前記積載トレイにセット排出することを特徴とする用紙後処理装置。」
とあるのを、
「画像形成部から排出された用紙に綴じ又はパンチング等の後処理を施すための用紙後処理装置において、
前記画像形成部から排出された用紙を整合するための用紙寄せパドルおよび用紙整合板を少なくとも有する１個の編集トレイと、前記編集トレイの後端部に設置された用紙後処理機と、前記編集トレイから排出される用紙を積載するための積載トレイと、前記編集トレイで整合（セット）された用紙を前記積載トレイに排出するセット排出ローラとを備え、
前記編集トレイ上の用紙の一端が前記積載トレイに接するように構成され、且つ、前記画像形成部から排出される用紙を前記用紙後処理機による後処理の有無にかかわらず前記編集トレイを介して前記積載トレイにセット排出する
ものであって、
さらに、前記編集トレイで整合（セット）された用紙を押圧する用紙押え装置を備え、
前記用紙後処理機による後処理有の場合は、前記編集トレイで整合された用紙を前記用紙押え装置により押圧した状態で前記用紙後処理機により後処理を行い、前記用紙後処理機による後処理無の場合は、前記編集トレイで整合された用紙を前記用紙押え装置により押圧した状態で該用紙を前記積載トレイにセット排出する
と訂正する。
　ｂ．平成１３年８月２９日付けで補正した明細書【０００７】（特許３２８４７８２号特許公報第２頁右欄第６行から同２７行）
「【課題を解決するための手段】上記目的を達成するために、請求項１に記載の第１の発明は、画像形成部から排出された用紙に綴じ又はパンチング等の後処理を施すための用紙後処理装置において、前記画像形成部から排出された用紙を整合するための用紙寄せパドルおよび用紙整合板を少なくとも有する１個の編集トレイと、前記編集トレイの後端部に設置された用紙後処理機と、前記編集トレイから排出される用紙を積載するための積載トレイと、前記編集トレイで整合（セット）された用紙を前記積載トレイに排出するセット排出ローラとを備え、前記編集トレイ上の用紙の一端が前記積載トレイに接するように構成され、前記画像形成部から排出される用紙を前記用紙後処理機による後処理の有無にかかわらずに前記編集トレイを介して前記積載トレイにセット排出することを特徴とする。また、前記第１発明において、前記編集トレイから離れた常時の位置と前記編集トレイに接近して前記セット排出ローラと対向する位置との間を移動可能に構成され、且つ、前記セット排出ローラと対向する位置において前記排出ローラと共に前記編集トレイで整合（セット）された用紙を押圧しながら前記積載トレイに排出するように構成された用紙押え装置（３０）を設けることが可能である。」
とあるのを、
「【課題を解決するための手段】上記目的を達成するために請求項１に記載の第１の発明は、画像形成部から排出された用紙に綴じ又はパンチング等の後処理を施すための用紙後処理装置において、前記画像形成部から排出された用紙を整合するための用紙寄せパドルおよび用紙整合板を少なくとも有する１個の編集トレイと、前記編集トレイの後端部に設置された用紙後処理機と、前記編集トレイから排出される用紙を積載するための積載トレイと、前記編集トレイで整合（セット）された用紙を前記積載トレイに排出するセット排出ローラとを備え、前記編集トレイ上の用紙の一端が前記積載トレイに接するように構成され、且つ、前記画像形成部から排出される用紙を前記用紙後処理機による後処理の有無にかかわらず前記編集トレイを介して前記積載トレイにセット排出するする
ものであって、さらに、前記編集トレイで整合（セット）された用紙を押圧する用紙押え装置を備え、前記用紙後処理機による後処理有の場合は、前記編集トレイで整合された用紙を前記用紙押え装置により押圧した状態で前記用紙後処理機により後処理を行い、前記用紙後処理機による後処理無の場合は、前記編集トレイで整合された用紙を前記用紙押え装置により押圧した状態で該用紙を前記積載トレイにセット排出する
と訂正する。
（５４）【発明の名称】
用紙後処理装置およびその制御方式
（５７）【特許請求の範囲】
　【請求項１】画像形成部から排出された用紙に綴じ又はパンチング等の後処理を施すための用紙後処理装置において、
前記画像形成部から排出された用紙を整合するための用紙寄せパドルおよび用紙整合板を少なくとも有する１個の編集トレイと、前記編集トレイの後端部に設置された用紙後処理機と、前記編集トレイから排出される用紙を積載するための積載トレイと、前記編集トレイで整合（セット）された用紙を前記積載トレイに排出するセット排出ローラとを備え、
前記編集トレイ上の用紙の一端が前記積載トレイに接するように構成され、且つ、前記画像形成部から排出される用紙を前記用紙後処理機による後処理の有無にかかわらず前記編集トレイを介して前記積載トレイにセット排出する
ものであって、
さらに、前記編集トレイで整合（セット）された用紙を押圧する用紙押え装置を備え、
前記用紙後処理機による後処理有の場合は、前記編集トレイで整合された用紙を前記用紙押え装置により押圧した状態で前記用紙後処理機により後処理を行い、前記用紙後処理機による後処理無の場合は、前記編集トレイで整合された用紙を前記用紙押え装置により押圧した状態で該用紙を前記積載トレイにセット排出する
　【請求項２】請求項１記載の用紙後処理装置において、
設定された画像形成パラメータに基づいて画像形成部を制御する第１コントローラと、前記第１コントローラに設定されたパラメータに応じて前記用紙後処理装置を制御する第２コントローラと、前記後処理機の動作を制御する後処理制御手段と、前記用紙寄せパドルの動作を制御するパドル制御手段と、前記用紙整合板の動作を制御する整合板制御手段と、前記排出ローラの動作を制御するセット排出制御手段とを備え、
後処理の有無に関わらず前記パドル制御手段および前記整合板制御手段により前記編集トレイ上の用紙を整合させた後、前記セット排出制御手段により前記編集トレイ上の用紙を排出させることを特徴とする用紙後処理装置。
　【請求項３】請求項２記載の用紙後処理装置において、前記排出ローラの排出速度を変更するセット排出速度変更手段を備え、前記排出ローラの排出速度を用紙排出中に複数値に変更することを特徴とする用紙後処理装置。
【発明の詳細な説明】
　【０００１】
　【産業上の利用分野】本発明は、複写機，プリンター，ファックス等における画像形成後の用紙に綴じ又はパンチング等の後処理を施す用紙後処理装置に関する。
　【０００２】
　【従来の技術】複写機，プリンター，ファックス等においては、セットとなる複数枚の用紙を自動的にホッチキスあるいはパンチングを施して機外に排出する用紙後処理機能を備えたものが知られている。図１１は従来の用紙後処理装置付き複写機の概略構造を示す概念図であって、７０は複写機本体、７１は自動原稿給送装置、７２は用紙後処理装置、７３は用紙カセット、７４は排出用紙、また、６１は用紙後処理装置７２の積載トレイである。
　【０００３】同図において、複写機本体７０は用紙カセット７３から給紙された用紙に自動原稿給送装置７１から給送された原稿の画像を複写し、これを用紙後処理装置７２に渡して自動的にホッチキスあるいはパンチングを施し、積載トレイ６１にセット排出する。上記用紙後処理は、後処理モードの選択で複写機本体７０からの用紙に当該後処理を施すか否かを選択可能とされている。
　【０００４】上記従来の用紙後処理装置７２では、後処理モードが選択された場合にはＡの搬送ルートで後処理を施した後積載トレイ６１に排出し、後処理をしないモードが選択された場合には、複写機本体７０から積載トレイ６１に直接排出する構成となっている。なお、この種の従来技術を開示したものとしては、特開平２−１４４４３７０号公報、特公平４−１９１５１号公報、あるいは特開平３−１０６７５４号公報、等を挙げることができる。
　【０００５】
　【発明が解決しようとする課題】上記従来の技術においては、後処理しないモードでは複写機本体からの用紙を積載トレイに一枚づつ直接排出されるため、当該用紙が積載トレイ上でバラけて所謂紙揃えが悪くなるという問題があった。また、特開平３−１０６７５４号公報に開示の後処理装置は、編集トレイが下方に向いて設置されているため、先端に用紙を規制するためのストッパーが必要となるためマシンサイズとしてが大きくなるという問題があった。
　【０００６】本発明の第１の目的は、後処理を施さないモードを選択した場合も複数用紙を整合した状態、すなわち紙揃えを行った状態で積載トレイに排出できると共に、１枚のみの複写であっても用紙の姿勢を整合して排出しできる高速かつコンパクトな用紙後処理装置を提供することにある。本発明の第２の目的は、上記用紙後処理装置の制御方式を提供することにある。
　【０００７】
　【課題を解決するための手段】上記目的を達成するために、請求項１に記載の第１の発明は、画像形成部から排出された用紙に綴じ又はパンチング等の後処理を施すための用紙後処理装置において、前記画像形成部から排出された用紙を整合するための用紙寄せパドルおよび用紙整合板を少なくとも有する１個の編集トレイと、前記編集トレイの後端部に設置された用紙後処理機と、前記編集トレイから排出される用紙を積載するための積載トレイと、前記編集トレイで整合（セット）された用紙を前記積載トレイに排出するセット排出ローラとを備え、前記編集トレイ上の用紙の一端が前記積載トレイに接するように構成され、前記画像形成部から排出される用紙を前記用紙後処理機による後処理の有無にかかわらずに前記編集トレイを介して前記積載トレイにセット排出するする
ものであって、さらに、前記編集トレイで整合（セット）された用紙を押圧する用紙押え装置を備え、前記用紙後処理機による後処理有の場合は、前記編集トレイで整合された用紙を前記用紙押え装置により押圧した状態で前記用紙後処理機により後処理を行い、前記用紙後処理機による後処理無の場合は、前記編集トレイで整合された用紙を前記用紙押え装置により押圧した状態で該用紙を前記積載トレイにセット排出する
　【０００８】上記第２の目的を達成するために、請求項２に記載の第２発明は、前記第１発明の用紙後処理装置において、設定された画像形成パラメータに基づいて画像形成部を制御する第１コントローラと、前記第１コントローラに設定されたパラメータに応じて前記用紙後処理装置を制御する第２コントローラと、前記後処理機の動作を制御する後処理制御手段と、前記用紙寄せパドルの動作を制御するパドル制御手段と、前記用紙整合板の動作を制御する整合板制御手段と、前記排出ローラの動作を制御するセット排出制御手段とを備え、後処理の有無に関わらず前記パドル制御手段および前記整合板制御手段により前記編集トレイ上の用紙を整合させた後、前記セット排出制御手段により前記編集トレイ上の用紙を排出させることを特徴とする。
　【０００９】上記第２の目的を達成するために、請求項３に記載の第３発明は、前記第２発明において、前記排出ローラの排出速度を変更するセット排出速度変更手段８５ａを備え、前記排出ローラの排出速度を用紙排出中に複数値に変更することを特徴とする。上記各発明において、セット排出される用紙は１枚設定時にも同様に処理される。
　【００１０】また、第３の発明におけるセット排出速度は、１セットの用紙枚数の多少に応じて最適モードに設定することも可能である。
　【００１１】
　【作用】上記第１の発明の構成において、前記１個の編集トレイに備える用紙寄せパドルは画像形成部から排出された用紙の進入方向を揃え、前記用紙整合板はそのサイド姿勢を揃える。前記用紙後処理機は、編集トレイに整合載置された用紙にホッチキスあるいはパンチングを施す。
　【００１２】排出ローラは、前記用紙後処理機による後処理の有無に関わらず前記編集トレイを介して前記積載トレイに用紙をセット排出して積載する。前記編集トレイ上の用紙はその一端が前記積載トレイに接するように構成されているので、前記編集トレイの形状および大きさがコンパクトになり、用紙後処理装置自体もコンパクトな構成とすることができる。また、上記第１発明の構成において、前記用紙押え装置（３０）を設けた場合には、用紙押え装置（３０）は前記編集トレイから離れた常時の位置と前記編集トレイに接近して前記セット排出ローラと対向する位置との間を移動する。前記セット排出ローラと対向する位置において、前記編集トレイで整合（セット）された用紙は前記排出ローラと前記用紙押え装置によって押圧・挟持されて前記積載トレイに排出される。用紙は前記排出ローラと用紙押え装置によって押圧されながら排出されるので、排出後も用紙の整合は乱されない。また、上記第２発明の構成において、前記第１コントローラは第１コントローラに設定された画像形成パラメータに基づいて画像形成部を制御する。
　【００１３】前記第２コントローラは、前記第１コントローラに設定されたパラメータに応じて用紙後処理装置を制御し、後処理制御手段は後処理機の動作を制御する。また、パドル制御手段は用紙寄せパドルの動作を制御し、整合板制御手段は用紙整合板の動作を制御する。セット排出手段は排出ローラの動作を制御する。そして、後処理の有無に関わらず前記パドル制御手段および前記整合板制御手段は前記編集トレイ上の用紙を整合し、前記セット排出制御手段は前記編集トレイ上の用紙を排出させる。【００１４】さらに、上記第３の発明の構成において、セット排出速度変更手段は排出ローラの排出速度を複数値に変更する。また、前記排出速度変更手段は、２速度モード、あるいはそれ以上の複数速度の組み合わせモードとし、もしくは前記第１コントローラに設定された１セットの構成枚数に応じて最適モードに設定することができる。上記セット排出される用紙は１枚設定時にも同様に処理される。
　【００１５】また、上記セット排出速度変更手段のセット排出速度を当該セット排出中に複数値の組合せとして、後処理無モードの場合はもとより、後処理有モードにおいても有効で、１セットの用紙枚数が多いときに、そのバラケ防止に特に効果がある。
　【００１６】
　【実施例】以下、本発明の実施例につき、図面を参照して詳細に説明する。図１は本発明による用紙後処理装置の１実施例の構成を説明する要部構成図であって、１１は用紙搬送路、１２は用紙排出ローラ、１３は編集トレイ、１４は用紙寄せパドル、１５は用紙整合板、１６は用紙整合位置決めモータ、１７はイグジットセンサー、２１は用紙後処理機としての綴じ機、３０は用紙押え装置、３２はピンチロール、３３は板バネ、３４はシャフト、３８はスプリング、５１はセット排出ローラ、６１は積載トレイ、７２は用紙後処理装置である。
　【００１７】なお、同図では画像形成部を省略してあり、矢印Ｃ方向から画像形成された用紙が排出されて来る。矢印Ｃに示したように画像形成部から送られて来た用紙は、用紙搬送路１１を経由し、用紙排出ローラ１２により編集トレイ１３に排出され、用紙寄せパドル１４によって先端が揃えられ、用紙整合位置決めモータ１６で駆動される用紙整合板により１５でサイドの紙揃えが行なわれて整合がなされる。
　【００１８】編集トレイ１３の上部には用紙押え装置３０が設けられており、常時は上昇位置にあって、所定のセット枚数が編集トレイ１３に載置された後に下降するように構成されている。用紙押え装置３０は、シャフト３４で枢支された板バネ３３の取付けられたピンチロール３２を有し、このピンチロール３２が下降指令に応じてスプリング３８に抗して編集トレイ１３に圧接し、セット排出ローラと共に用紙を積載トレイ６１に排出するように構成されている。
　【００１９】また、編集トレイ１３の後端部には用紙後処理機としての綴じ機２１が設置されており、綴じモードにおいて、整合された所定の枚数の用紙に綴じ処理を施す。なお、イグジットセンサー１７は画像形成部からの用紙の排出を検知し、この検知出力に基づいて用紙押え装置３０や上記の整合動作、綴じ機２１の動作および積載トレイ６１へのセット排出動作等が制御される。
　【００２０】図２はセット排出装置（用紙押え装置およびセット排出ローラ）の構成を説明するセット排出前の要部構成図、図３はセット排出装置の構成を説明する要部側面図、図４はセット排出装置の構成を説明するセット排出時の要部構成図であって、３１はベアリング、３３はピンチローらニップ板バネ、３４はシャフト、３５は押えガイド、３５ａはストッパ３９が摺接する凹部、３６はピンチニップモータ、３７はカムローラ、３９はストッパ、４０はスプリング支持ピン、４２はフレーム、４３はエンコーダ、４４はアップセンサ、４５はダウンセンサ、５１はセット排出ローラ、５２は従動プーリ、５３は駆動プーリ、５４はベルト、５５は排出モータ、６２はセットされた用紙である。
　【００２１】図２のセット排出前の状態では、用紙押え装置３０は編集トレイ１３との押圧が解除されて上昇位置にある。画像形成部から排出された用紙は、前記図１で説明したように編集トレイ１３に進入し、用紙寄せパドル１４と用紙整合板１５とによって整合されて図中６２で示したように編集トレイ１３上に保持される。
　【００２２】綴じモードの場合には図１に示した綴じ機２１が作動し、セットされた用紙６２を綴じる。その後、セット排出指令に応じて図３に示したピンチニップモーター３６が回転し、ストッパ３９がカムローラ３７が凹部３５ａに摺接して図４に示した位置に下降する。このとき、エンコーダ４３のスリットから回転信号が出力されると共に、ダウンセンサ４５がオンになって停止する。
　【００２３】この時カムローラ３７が押えガイド３５を押え、同軸上にあるピンチローラニップ板バネ３３によりピンチロール３２にセットした用紙がずれないようなピンチ圧力を与えてニップさせる。セットされた用紙６２の先端は用紙トレイ６１に接した状態にある。次に、イジェクトモータ５５が駆動されて、駆動プーリ５３，ベルト５４，従動プーリ５２を通してセット排出ローラ５１が回転することにより、セット用紙が排出され、積載トレイ６１に積載される。
　【００２４】その後、次の処理のため再びピンチニップモータ３６が回転し、ピンチローラ３２は上昇を開始して、エンコーダー４３のスリットによる所定の回転完了時にアップセンサ４４がオンになって停止する。こうして、ピンチローラ３２はスプリング３８によりピンチローラニップ板バネ３３を介して持ち上げられ、次の処理を待つ。
　【００２５】このように、後処理無しのモードでも用紙を紙揃えした後に排出することによりきれいに揃ったセットを積載トレイ６１上に得ることができる。また、排出スピードは早いと用紙がバラける原因となる。遅いとタイミングが間に合わない状態になるので排出動作時の用紙排出スピードをコントロールすることにより排出時のバラケをなくし、かつタイミングを合わせる。
　【００２６】図５は上記実施例の動作を実行するための制御システムブロック図であって、７０は画像形成部、７２は後処理装置としての綴じ機、８０は第１コントローラ、８１は第２コントローラ、８２は後処理制御手段、８３はパドル制御手段、８４は整合板制御手段、８５はセット排出制御手段、８５ａはセット排出速度設定手段、８６は用紙押え制御手段である。
　【００２７】同図において、第１コントローラ８０は設定された画像形成パラメータに基づいて画像形成部７０を制御する。第２コントローラ８１は前記第１コントローラ８０に設定されたパラメータに応じて用紙後処理装置７２を制御する。前記後処理装置７２は、後処理制御手段８２と、パドル制御手段８３と、整合板制御手段８４と、セット排出制御手段８５と、用紙押え制御手段８６とを備えている。
　【００２８】前記第１コトローラ８０から後処理の有モードが指令された時は、前記図２〜図４で説明した動作に加えて、綴じ機２１を動作させてセットされた用紙に綴じを施す。また、前記第１コントローラ８０から後処理の無モードの指令がなされた時にも前記パドル制御手段８３および前記整合板制御手段８４を後処理ありモードと同様に作動させた後、前記セット排出制御手段８５を動作させる。
　【００２９】そして、セット排出速度設定手段８５ａは、複数速度の組合せでセット排出制御手段８５を駆動するように制御し、また、前記第１コントローラに設定された１セットの構成枚数に応じて排出速度を最適モードに設定することも可能である。図６は上記本発明の実施例の概略動作を説明するフローチャートである。
　【００３０】同図において、まず、画像形成部から排出された用紙は編集トレイ上にに排出される（Ｓ−１）。第１コトローラ８０に設定された用紙枚数が１枚であるか２枚以上であるか否かを判断し（Ｓ−２）、１枚である場合はそのまま積載トレイ上に排出して、ジョブ終了か否かを判断し（Ｓ−８）、終了ならそのまま終わり。終了でないならＳ−１に戻る。
　【００３１】Ｓ−２において、用紙が２枚以上であると判断された場合は、前記した用紙揃えを実行し（Ｓ−３）、後処理有モードである場合には綴じ機を動作させて綴じ処理を施し（Ｓ−５）た後にセット排出し、後処理無モードの場合にはそのままセット排出する。用紙がセット排出されて積載トレイ上に排出された後、ジョブ終了か否かを判断し（Ｓ−８）、終了ならそのまま終わり。終了でないならＳ−１に戻る。
　【００３２】図７は本発明の１実施例の動作を説明するためのタイミングチャートである。同図において、用紙がイグジェットセンサー（図１参照）通過を検知して、編集トレイに排出されると、パドルによる先端揃え、および整合板によるタイピングがなされる。このとき、ピンチローラは上昇位置にある。設定された用紙がＮ枚通過して所定のＴ０時間経過後、ピンチニップモータが回転してピンチローラが下降してセットされた用紙を押さえ、後処理である綴じが施される。
　【００３３】綴じ処理後、イジェクトモータ（セット排出モータ）を回転させてセット用紙を積載トレイ上に排出する。後処理無モードでは、設定された用紙がＮ枚通過して所定のＴ０時間経過後、ピンチニップモータが回転してピンチローラが下降してセットされた用紙を押さえ、上記後処理に要する時間（Ｔ１＋Ｔ２）でイジェクトモータ（セット排出モータ）の速度を可変としてセット排出する。
　【００３４】ここでは、イジェクトモータ（セット排出モータ）の回転を高速→低速に変化させて排出させる。このセット排出モータはＤＣモータやステッピングモータなどで構成される。図８はセット排出モータとしてＤＣモータを用いた場合のセット排出速度変更手段による駆動電圧例の説明図であって、図７で説明した後処理無モード時におけるセット排出モータの駆動電圧波形を示す。
　【００３５】前記図７の後処理有モードの後処理時間Ｔａとセット排出時間Ｔｂの加算であるＴａ＋Ｔｂ期間において、図８に示すように後処理時間Ｔａの期間は駆動電圧を０ＶからＶ１に徐々に上昇させ、セット排出時間Ｔｂの期間は一定電圧Ｖ１としてセット排出する。なお、図８、図９において後処理時間Ｔａの開始時刻を０とし、後処理時間Ｔａの経過後の時間をＴ１とし、前記後処理時間Ｔａ及びセット排出時間Ｔｂの経過後の時間をＴ２とした場合、Ｔ２＝Ｔ１＋Ｔｂ＝Ｔａ＋Ｔｂで表せる。図９はセット排出モータとしてのステッピングモータを用いた場合のセット排出速度変換手段による駆動例の説明図であって、図８と同様に図７で説明して後処理無モードにおけるセット排出モータに供給する駆動パネルレートを示す。
　【００３６】前記図７の後処理有モードの後処理時間Ｔａとセット排出時間Ｔｂの加算であるＴａ＋Ｔｂ期間において、図９に示すように経過時間０〜Ｔ１で駆動パルスを０からＸ０に徐々に増加させ、経過時間Ｔ１〜Ｔ２では一定の駆動パルスレートＸ０としてセット排出する。図１０はセット排出モータとしてステッピングモータを用いた２速度排出モードの場合のセット排出速度変更手段による駆動例の説明図であって、図８，図９と同様に図７で説明した後処理無モード時におけるセット排出モータに供給する駆動パルスレートを示す。
　【００３７】前記図７のＴａ＋Ｔｂ期間において、図１０に示すように後処理有モードの後処理時間Ｔａが経過した時間Ｔ１までは０からＸ１に徐々に増加させ、経過時間Ｔ１からＴ３までは一定の駆動パルスレートＸ１とし、経過時間Ｔ３からＴ２まではＸ２に徐々に減少させ、経過時間Ｔ２からＴ４（＝Ｔａ＋Ｔｂ）まで一定のＸ２で駆動することで排出させる。以上各モータの駆動制御モードにより、セットされて用紙はバラケルことなく積載トレイ上に排出される。
　【００３８】このように、用紙の１枚モードでも一旦偏集トレイに排出された後に積載トレイに排出され、２枚以上の後処理モードでは、偏集トレイに排出された用紙は紙揃えを行ったあとに綴じ等の後処理を行ってセットで排出し、積載トレイに積載する。また、非後処理モードでも、一旦編集トレイに排出し、紙揃えしたあとセットで排出し、積載トレイに積載する。
　【００３９】これにより、後処理の有無にかかわらず、積載トレイ上には正しい姿勢、かつ揃えられたセットの用紙が排出されることになり、オペレータによるその後の取扱いが容易になる。
　【００４０】
　【発明の効果】以上説明したように、本発明によれば、後処理を施さないモードを選択した場合も複数用紙を整合した状態、すなわち紙揃えを行った状態で積載トレイに排出できると共に、１枚のみの複写であっても用紙の姿勢を整合して排出しできる高速かつコンパクトな用紙後処理装置を提供することができる。
【図面の簡単な説明】
　【図１】　本発明による用紙後処理装置の１実施例の構成を説明する要部構成図である。
　【図２】　本発明による用紙後処理装置の１実施例のセット排出装置の構成を説明するセット排出前の要部構成図である。
　【図３】　本発明による用紙後処理装置の１実施例のセット排出装置の構成を説明する要部側面図である。
　【図４】　本発明による用紙後処理装置の１実施例のセット排出装置の構成を説明するセット排出時の要部構成図である。
　【図５】　本発明による用紙後処理装置の１実施例の動作を実行するための制御システムブロック図である。
　【図６】　本発明による用紙後処理装置の１実施例の概略動作を説明するフローチャートである。
　【図７】　本発明による用紙後処理装置の１実施例の動作を説明するためのタイミングチャートである。
　【図８】　セット排出モータとしてＤＣモータを用いた場合のセット排出速度変更手段による駆動電圧例の説明図である。
　【図９】　セット排出モータとしてステッピングモータを用いた場合のセット排出速度変更手段による駆動例の説明図である。
　【図１０】　セット排出モータとしてステッピングモータを用いた２速度排出モードの場合のセット排出速度変更手段による駆動例の説明図である。
　【図１１】　従来の用紙後処理装置付き複写機の概略構造を示す概念図である。
　【符号の説明】
　１１・・・・用紙搬送路、１２・・・・用紙排出ローラ、１３・・・・編集トレイ、１４・・・・用紙寄せパドル、１５・・・・用紙整合板、１６・・・・用紙整合位置決めモータ、１７・・・・イグジットセンサー、２１・・・・用紙後処理機としての綴じ機、３０・・・・用紙押え装置、３２・・・・ピンチロール、３３・・・・板バネ、３４・・・・シャフト、３８・・・・スプリング、５１・・・・セット排出ローラ、６１・・・・積載トレイ、７２・・・・用紙後処理装置。